(57)【特許請求の範囲】
【請求項１】
電力系統における設備や機器に対し作業を行うのに伴って停止させる必要のある設備である停止設備を自動的に判定するための停止設備判定方法であって、
作業対象の設備や機器を含む電力系統図から、開閉機器をブランチ、開閉機器と開閉機器の間の設備や機器をノードとし、前記ブランチの全てを入りの接続状態としたノード・ブランチ図を生成させる第１ステップ、前記ノード・ブランチ図上で前記作業対象の設備や機器に対応する作業対象ノードや作業対象ブランチに隣接する作業対象ノード隣接ブランチや作業対象ブランチ隣接ノードを基準に、当該作業対象ノード隣接ブランチや作業対象ブランチ隣接ノードの１つ先のブランチを切りの非接続状態とする第２ステップ、および前記第２ステップによりブランチを切りの非接続状態とした状態の前記ノード・ブランチ図のノードについて充停電判定を行うことで停電ノードを求め、その停電ノードの設備や機器を停止設備として求める第３ステップを含むことを特徴とする停止設備判定方法。
【請求項２】
電力系統における設備や機器に対し行う作業に関して作業計画申請するのに用いられる作業計画申請システムにおいて、
請求項１に記載の停止設備判定方法を実行して前記作業に必要な停止設備を求めるプログラムを備え、求めた停止設備に基づいて前記作業計画を作成することを特徴とする作業計画申請システム。
【請求項３】
電力系統における設備や機器に対し行う作業に関して申請される複数の作業計画について調整するのに用いられる作業計画調整システムにおいて、
請求項１に記載の停止設備判定方法を実行して前記作業に必要な停止設備を求めるプログラムを備え、求めた停止設備に基づいて複数の前記作業計画について調整することを特徴とする作業計画調整システム。
【請求項４】
電力系統における設備や機器に対し作業を行うのに伴って停止させる必要のある設備である停止設備に対する操作手順を作成できるようにされている電力系統監視制御システムにおいて、
請求項１に記載の停止設備判定方法を実行して前記作業に要する停止設備を求めるプログラムを備え、求めた停止設備に基づいて前記操作手順を作成することを特徴とする電力系統監視制御システム。
【発明の詳細な説明】
【技術分野】
【０００１】
本発明は、電力系統における設備や機器につい作業を行うのに伴って停止させる必要のある設備である停止設備を自動的に判定するための技術に関する。
【背景技術】
【０００２】
電力系統においては、電力流通設備（本明細書では適宜に「設備」と略称する）やそれに関わる開閉機器、保護装置、制御装置などの各種機器について新規設置や増設工事あるいは定期的点検などの各種作業（以下では便宜上、電力系統作業と呼ぶ）が数多く行われる。こうした電力系統作業では、作業計画の作成、停止設備計画の作成、作業計画調整、停止設備操作手順の作成という順で準備作業を行い、そしてこの準備作業で作成された停止設備操作手順に基づいて停止設備の停止操作を行うことで現場作業の安全性を確保しつつ、電力系統作業を実施する。
【０００３】
作業計画は、作業期間や作業内容（作業対象の設備や機器とそれに対する作業の内容など）などを記録したデータであり、電力系統作業を実施する部門により１つの電力系統作業ごとに作成される。作業実施部門としては、工事部門や保守部門があり、新規設置や増設は工事部門が担い、定期点検は保守部門が担うのが通常である。
【０００４】
停止設備計画は、電力系統作業に伴って停止させる必要のある設備である停止設備についての計画である。すなわち電力系統作業を行うに際しては、現場作業の安全確保として作業対象の設備や機器に関係する一定範囲の設備を停止設備として停止（停電）させる必要があり、そのために１つの電力系統作業ごとに停止設備を判定し、その判定に基づいて停止設備計画を作成する。この停止設備計画は、作業停止計画とも呼ばれる。
【０００５】
作業計画調整は、電力系統作業による停止設備の発生と電力系統の運用の関係で作業計画を調整する業務である。すなわち電力系統作業に伴う設備の停止は電力系統の運用に影響することから、作業計画ないしそれに伴う設備停止計画を電力系統の運用に合わせて調整する必要があり、そのためになされるのが作業停止計画調整である。
【０００６】
停止設備操作手順は、電力系統作業に伴う停止設備の操作、つまり電力系統作業の開始時や終了時における設備の停止や復旧のための開閉機器の入り操作や切り操作の手順を指令するデータである。
【０００７】
以上のような電力系統作業に関する準備作業の内、作業計画調整と停止設備操作手順の作成については、かなりコンピュータシステム化が進められ、準備作業をより効率的に行えるようにされている。すなわち作業計画調整については、作業計画調整システムをコンピュータプログラムとして構築し、その作業計画調整システムを用いて作業計画調整をより効率的に行えるようにされている。またまた停止設備操作手順の作成についても、電力系統監視制御システムに組み込まれた機能により作業計画調整データから停止設備操作手順を自動的に作成できるようにすることで、停止設備操作手順の作成をより効率的に行えるようにされている。
【０００８】
しかし、停止設備計画の作成については、コンピュータシステム化が不十分で、停止設備計画の作成に必要な停止設備の判定の多くを人手に頼っており、そのために効率の低い作業となっている。なお、配電系統における設備や機器に関する作業については、その作業に伴う停電範囲をコンピュータシステムで判定する手法が知られている（例えば特許文献２）。しかし、配電系統と電力系統ではその系統構造が大きく異なり、特許文献２に開示のような手法を電力系統で利用することは実際上できない。
【０００９】
【特許文献１】特開２００５−８０４７１号公報
【特許文献２】特開平５−２７６６６２号公報
【発明の開示】
【発明が解決しようとする課題】
【００１０】
上述のように、停止設備計画の作成については、それに必要な停止設備の判定の多くを人手に頼っていることから、効率の低い作業となっている。本発明は、こうした事情を背景になされたものであり、その課題は、電力系統における設備や機器について工事や点検などの作業を行うのに伴って停止させる必要のある設備である停止設備の自動的な判定を可能とする停止設備判定方法の提供にある。
【課題を解決するための手段】
【００１１】
電力系統の分野では、ノード・ブランチ図を用いる手法が知られている。すなわち、電力系統における開閉機器をブランチとし、開閉機器と開閉機器の間をノードとしたノード・ブランチ図を作成し、そのノード・ブランチ図に基づいて電力系統を解析する手法である。本願の発明者等は、このようなノード・ブランチ図手法に着目した。そしてノード・ブランチ図手法を利用することで電力系統作業に伴う停止設備の判定を自動化することが可能であることを見出し、本発明に至った。
【００１２】
したがって上記課題を解決するために本発明では、電力系統における設備や機器に対し作業を行うのに伴って停止させる必要のある設備である停止設備を自動的に判定するための停止設備判定方法について、作業対象の設備や機器を含む電力系統図から、開閉機器をブランチ、開閉機器と開閉機器の間の設備や機器をノードとし、前記ブランチの全てを入りの接続状態としたノード・ブランチ図を生成させる第１ステップ、前記ノード・ブランチ図上で前記作業対象の設備や機器に対応する作業対象ノードや作業対象ブランチに隣接する作業対象ノード隣接ブランチや作業対象ブランチ隣接ノードを基準に、当該作業対象ノード隣接ブランチや作業対象ブランチ隣接ノードの１つ先のブランチを切りの非接続状態とする第２ステップ、および前記第２ステップによりブランチを切りの非接続状態とした状態の前記ノード・ブランチ図のノードについて充停電判定を行うことで停電ノードを求め、その停電ノードの設備や機器を停止設備として求める第３ステップを含むことを特徴としている。
【００１３】
こうした本発明による停止設備判定方法は、コンピュータプログラム化して実施されることになる。その場合、停止設備判定方法を記述したコンピュータプログラムは、電力系統作業の準備作業にかかわる複数の部門、具体的には作業計画作成を担う部門、作業計画調整を担う部門、停止設備操作手順作成を担う部門のいずれでも使用することができる。
【００１４】
このため本発明では、電力系統における設備や機器に対し行う作業に関して作業計画申請するのに用いられる作業計画申請システム、電力系統における設備や機器に対し行う作業に関して申請される複数の作業計画について調整するのに用いられる作業計画調整システム、および電力系統における設備や機器に対し作業を行うのに伴って停止させる必要のある設備である停止設備に対する操作手順を作成できるようにされている電力系統監視制御システムのいずれかにおいて、上記停止設備判定方法を実行できるようにするものとしている。
【発明の効果】
【００１５】
上記のような本発明によれば、電力系統における設備や機器について作業を行うのに伴って停止させる必要のある設備である停止設備の自動的な判定が可能となり、これにより停止設備の判定についても効率的に処理を行えるようになり、電力系統作業に関する準備作業の効率化をより一層向上させることができる。
【発明を実施するための最良の形態】
【００１６】
以下、本発明を実施するための形態について説明する。図１に示すのは、電力系統における情報管理や系統運用にかかわるシステムにあって電力系統作業の準備作業に関連する部分のシステムの構成である。ここではこのシステムを仮に電力系統作業準備用システムと呼ぶ。電力系統作業準備用システム１は、作業計画を作成して申請する部門に設置される複数の作業計画申請端末２（２ａ、２ｂ、〜２ｎ）、作業計画の調整を行う部門（これは系統運用部門が兼ねるのが通常である）に設置される作業計画調整システム３、および系統運用部門に設置される電力系統監視制御システム４を含む。そして作業計画申請端末２と作業計画調整システム３は、ネットワーク５を介して接続され、電力系統監視制御システム４は、ネットワーク６を介して各電気所７（Ａ電気所７ａ、Ｂ電気所７ｂ、〜Ｚ電気所７ｃ）の電力系統（図示を省略）に接続され、それら電力系統おける各機器の遠隔操作を行えるようにされている。
【００１７】
本発明による停止設備判定方法は、これらのシステムのいずれにも適用することができるが、第１の実施形態では停止設備判定方法を記述したコンピュータプログラムである停止設備判定プログラム８を作業計画申請端末２に実装させるようにしている。
【００１８】
作業計画申請端末２は、作業計画作成・申請部門（部門工事部門や保守部門）が電力系統作業の作業計画申請データ１１を作成し、その作業計画申請データ１１により作業計画調整部門に作業計画を申請するのに用いられ、作業計画申請システムを構成する。上述のように本実施形態では作業計画申請端末２で停止設備判定方法を実行できるようにしていることから、作業計画の作成と同時的に停止設備の判定がなされる。したがって作業計画申請端末２で作成される作業計画申請データ１１には、停止設備計画データも含ませることになる。
【００１９】
図２に、作業計画申請端末２の表示画面で表示された状態の作業計画申請データ１１の例を示す。この例の作業計画申請データ１１は、電力系統作業の開始日時と終了日時を記録する作業期間記録欄１２、電力系統作業の対象となる電気所、設備、機器および作業内容を記録する作業内容記録欄１３、それに後述するようにして判定される停止設備に関する停止設備計画を記録する停止設備計画記録欄（図示を省略）を含む。
【００２０】
作業計画調整システム３は、作業計画申請端末２から申請されてくる作業計画の調整を行うのに用いられる。一例として、作業計画調整システム３は、その時までに受け付けた複数の作業計画申請データ１１の全てについて、図３に示す例のような作業線表１５を作成して表示する。また作業計画調整では、作業線表１５に載せられた各作業計画とそれに伴う各停止設備計画の組み合わせを系統運用計画と照らし合わせて作業時予想潮流図などを作成し、それにより電力系統の系統信頼度上の問題がないかを確認しながら各電力系統作業の日程を調整して最終的な停止設備計画を決定することになるが、これら一連の作業を作業計画調整システム３により自動的に行わせる場合もある。こうした作業計画調整システム３では、作業計画調整データ１６が作成され、この作業計画調整データ１６は電力系統監視制御システム４に渡される。
【００２１】
電力系統監視制御システム４は、作業計画調整システム３から受け取った作業計画調整データ１６に基づいて停止設備操作手順データを作業管理票・指令操作手順データ１７として作成し、その作業管理票・指令操作手順データ１７に基づいて各電気所７の停止設備に対する操作を行う。図４に、電力系統監視制御システム４の表示画面で表示された状態の作業管理票・指令操作手順データ１７における指令操作手順データの例を示す。この例の指令操作手順データには、操作日を記録する操作日記録欄１８、操作対象の電気所、設備、機器および操作内容を記録する操作内容記録欄１９を含む。
【００２２】
以下では作業計画申請端末２に実装してある停止設備判定プログラム８を用いてなされる停止設備判定について説明する。図５に停止設備判定における処理の流れを示す。停止設備判定処理では、まず作業対象の設備や機器を含む電力系統図からノード・ブランチ図を生成させる（ステップ１０１）。電力系統図の例を図６に示す。図６の電力系統図は、Ａ電気所、Ｂ電気所およびＣ電気所を含む電力系統についてのものである。図中の□記号は、ＣＢ開閉機器（遮断器）であり、○記号は、ＬＳ開閉機器（断路器）である。こうした電力系統図は、電力系統監視制御システム４がデータベース（図示せず）として有しおり、そのデータベースから得ることができる。
【００２３】
図７は、図６の電力系統図からＡ電気所の電力系統を抜き出した電力系統図である。このＡ電気所電力系統図には、電流を遮断したり断路（切替）したりすることで停止対象の設備を電力系統から切り離す機能を有する開閉機器が含まれ、また開閉機器と開閉機器の間を結ぶノードが含まれる。具体的には開閉機器として、送電線設備の開閉機器Ｂ−Ｓ１１〜Ｂ−Ｓ１４、Ｂ−Ｓ２１〜Ｂ−Ｓ２４、母線連絡設備の開閉機器Ｂ−Ｔ１１〜Ｂ−Ｔ１３、Ｂ−Ｔ２１〜Ｂ−Ｔ２３、Ｂ−Ｔ３１〜Ｂ−Ｔ３３、Ｂ−Ｔ４１、変圧器設備の開閉機器Ｂ−Ｈ１１〜Ｂ−Ｈ１５、Ｂ−Ｈ２１〜Ｂ−Ｈ２５が含まれ、ノードとして、送電線設備のノードＮ−Ｓ１１〜Ｎ−Ｓ１３、Ｎ−Ｓ２１〜Ｎ−Ｓ２３、母線連絡設備のノードＮ−Ｔ１１、Ｎ−Ｔ１２、Ｎ−Ｔ２１、Ｎ−Ｔ２２、Ｎ−Ｔ３１、Ｎ−Ｔ３２、変圧器設備のノードＮ−Ｈ１１〜Ｎ−Ｈ１３、Ｎ−Ｈ２１〜Ｎ−Ｈ２３、母線設備のノードＮ−Ｂ１１〜Ｎ−Ｂ１４、Ｎ−Ｂ２１、Ｎ−Ｂ２２が含まれる。
【００２４】
図８に、図７のＡ電気所電力系統図から生成されるノード・ブランチ図を示す。このノード・ブランチ図は、図７におけるノードをそのままノードとし、ノード間に介在する開閉機器をブランチとし、全てのブランチを入りの接続状態として生成したものである。図８では、ノードとブランチ（開閉機器）のそれぞれに図７におけるのと同一の符号を付してある。
【００２５】
図５に戻る。ステップ１０１に続くステップ１０２では、ノード・ブランチ図上で特定のブランチを切りの非接続状態とする処理を行う。具体的には、電力系統作業の対象である設備や機器に対応するノードやブランチである作業対象ノードや作業対象ブランチに隣接するブランチやノードである作業対象ノード隣接ブランチや作業対象ブランチ隣接ノードを基準に、当該作業対象ノード隣接ブランチや作業対象ブランチ隣接ノードの１つ先のブランチを切りの非接続状態とする。この処理を、図７の電力系統図におけるＡ変電所の変圧器１号の１次側甲ＬＳ開閉機器Ｂ−Ｈ１１が作業対象機器である場合（ケース１）と、それぞれＡ変電所に含まれるＡＢ送電線１号設備の甲ＬＳ開閉機器Ｂ−Ｓ１３、変圧器１号設備の１次側甲ＬＳ開閉機器Ｂ−Ｈ１１、変圧器１号設備の１次側ＣＢ開閉機器Ｂ−Ｈ１３、１３２ｋＶ甲母線連絡設備のＢ側ＬＳ開閉機器Ｂ−Ｔ２３のそれぞれが1つの電力系統作業における作業対象機器である場合（ケース２）を例として、さらに具体的に説明する。
【００２６】
図９に示すノード・ブランチ図は、ケース１の場合であり、作業対象の１次側甲ＬＳ開閉機器Ｂ−Ｈ１１に対応するブランチＢ−Ｈ１１に波線を重ねて示してある。この作業対象機器に対応するブランチＢ−Ｈ１１に隣接する作業対象ブランチ隣接ノードを探索すると、それらは、ノードＮ−Ｂ１１とノードＮ−Ｈ１１となる。また作業対象ブランチ隣接ノードＮ−Ｂ１１について１つ先のブランチを探索すると、それらは、ブランチＢ−Ｓ１３、Ｂ−Ｓ２３、Ｂ−Ｔ１１、Ｂ−Ｔ２１となり、作業対象ブランチ隣接ノードＮ−Ｈ１１について同じく１つ先のブランチを探索すると、それらは、ブランチＢ−Ｈ１２とＢ−Ｈ１３となる。こうして作業対象ブランチ隣接ノードの１つ先のブランチを求めたら、それらを切りの非接続状態にする。図９中では、非接続状態とするブランチに×マークを重ねて示してある。
【００２７】
ここで、作業対象ブランチ隣接ノードについての「１つ先のブランチ」とは、作業対象ブランチ隣接ノードに直接的に接続するブランチであり、作業対象ノード隣接ブランチについての「１つ先のブランチ」とは、作業対象ノード隣接ブランチに１つのノードだけを介して接続するブランチである。
【００２８】
図１０に示すノード・ブランチ図は、ケース２の場合であり、作業対象のＬＳ開閉機器Ｂ−Ｓ１３、ＬＳ開閉機器Ｂ−Ｈ１１、ＣＢ開閉機器Ｂ−Ｈ１３、ＬＳ開閉機器Ｂ−Ｔ２３のそれぞれに対応するブランチＢ−Ｓ１３、Ｂ−Ｈ１１、Ｂ−Ｈ１３、Ｂ−Ｔ２３に波線を重ねて示してある。これらの作業対象機器に対応するブランチＢ−Ｓ１３、Ｂ−Ｈ１１、Ｂ−Ｈ１３、Ｂ−Ｔ２３それぞれについて隣接する作業対象ブランチ隣接ノードを探索する。その結果、ブランチＢ−Ｓ１３の作業対象ブランチ隣接ノードは、ノードＮ−Ｓ１３、Ｎ−Ｂ１１となり、ブランチＢ−Ｈ１１の作業対象ブランチ隣接ノードは、ノードＮ−Ｂ１１、Ｎ−Ｈ１１となり、ブランチＢ−Ｈ１３の作業対象ブランチ隣接ノードは、ノードＮ−Ｈ１１、Ｎ−Ｈ１２となり、ブランチＢ−Ｔ２３の作業対象ブランチ隣接ノードは、ノードＮ−Ｔ２２、Ｎ−Ｂ１３となる。
【００２９】
またこれらの作業対象ブランチ隣接ノードについて１つ先のブランチを探索すると、ノードＮ−Ｓ１３の１つ先のブランチは、ブランチＢ−Ｓ１２、Ｂ−Ｓ１４となり、ノードＮ−Ｂ１１の１つ先のブランチは、ブランチＢ−Ｓ１３、Ｂ−Ｓ２３、Ｂ−Ｔ１１、Ｂ−Ｔ２１となり、ノードＮ−Ｂ１１の１つ先のブランチは、ブランチＢ−Ｓ１３、Ｂ−Ｓ２３、Ｂ−Ｔ１１、Ｂ−Ｔ２１となり、ノードＮ−Ｈ１１の１つ先のブランチは、ブランチＢ−Ｈ１２、Ｂ−Ｈ１３となり、ノードＮ−Ｈ１２の１つ先のブランチは、ブランチＢ−Ｈ１４となり、ノードＮ−Ｔ２２の１つ先のブランチは、ブランチＢ−Ｔ２２となり、ノードＮ−Ｂ１３の１つ先のブランチは、ブランチＢ−Ｈ２１となる。こうして作業対象ブランチ隣接ノードの１つ先のブランチを求めたらそれらを切りの非接続状態にする。図１０中では、図９と同様に、非接続状態とするブランチに×マークを重ねて示してある。
【００３０】
図５に戻る。ステップ１０２に続くステップ１０３では、ブランチを切りの非接続状態とした状態の図９や図１０のノード・ブランチ図について充停電判定を行うことで停電ノードを求め、その停電ノードから停止設備を求める。図９の場合、充停電判定によりノードＮ−Ｂ１１、Ｎ−Ｈ１１が停電ノード（黒塗りで示してある）として求まり、したがってこれらのノードに対応する１３２ｋＶＡ甲母線設備と変圧器１号設備が停止設備として求まる。また図１０の場合、充停電判定によりノードＮ−Ｓ１３、Ｎ−Ｂ１１、Ｎ−Ｈ１１、Ｎ−Ｈ１２、Ｎ−Ｔ２１、Ｎ−Ｔ２２、Ｎ−Ｂ１３が停電ノードとして求まり、したがってこれらのノードに対応するＡＢ送電線１号構内設備と１３２ｋＶＡ甲母線設備、１３２ｋＶＡ母線連絡設備、変圧器１号設備、１３２ｋＶ甲母線連絡設備、１３２ｋＶＢ甲母線設備のそれぞれが停止設備として求まる。ここで、充停電判定は電力系統の分野で広く知られている手法であるのでその説明は省略する。
【００３１】
以上のようにして停止設備の判定がなされたら、その結果に基づいて停止設備計画の作成を行うことになる。この場合の停止設備計画には、停止設備の判定がコンピュータプログラムにより上述のようにしてなされることから、停止設備の停止操作のために切りとする開閉機器についてのデータを電子データとして含ませることが可能である。そのデータは、図９のノード・ブランチ図の場合であれば、図１１に示す例のようになり、図１０のノード・ブランチ図の場合であれば、図１２に示す例のようになる。図１１と図１２は、それぞれ図７の電力系統図に対応しており、そこでは停止設備の停止操作のために切りとする開閉機器が×マークを重ねることで示されている。このような停止設備計画作成処理も作業計画申請端末２に実装してある停止設備計画作成用のコンピュータプログラムを用いてなすようにするのが通常である。
【００３２】
図１３に示すのは、第２の実施形態における電力系統作業準備用システム２１の構成である。第２の実施形態では、作業計画調整システム３に停止設備判定プログラム８を実装させるようにしている。この他の構成などについては第１の実施形態と同様なので、説明を省略する。
【００３３】
図１４に示すのは、第３の実施形態における電力系統作業準備用システム２２の構成である。第３の実施形態では、電力系統監視制御システム４に停止設備判定プログラム８を実装させるようにしている。この他の構成などについては第１の実施形態と同様なので、説明を省略する。
【００３４】
以上、本発明を実施するための形態について説明したが、これらは代表的な例に過ぎず、本発明は、その趣旨を逸脱することのない範囲で様々な形態で実施することができる。例えば上記各実施形態では電力系統作業準備用システムが作業計画調整システムと電力系統監視制御システムを含む場合としていたが、これに限られず、作業計画調整システムの機能を電力系統監視制御システムに組み込むようにしてもよい。
【図面の簡単な説明】
【００３５】
【図１】第１の実施形態における電力系統作業準備用システムの構成を示す図である。
【図２】作業計画申請データの例を示す図である。
【図３】作業線表の例を示す図である。
【図４】指令操作手順データの例を示す図である。
【図５】停止設備判定における処理の流れを示す図である。
【図６】電力系統図である。
【図７】図６の電力系統図からの部分電力系統図である。
【図８】図７の電力系統図から生成されるノード・ブランチ図である。
【図９】１つの例による停止設備判定をイメージ化して示すノード・ブランチ図である。
【図１０】他の例による停止設備判定をイメージ化して示すノード・ブランチ図である。
【図１１】１つの例における停止設備の停止操作に関するデータを示す図である。
【図１２】他の例における停止設備の停止操作に関するデータを示す図である。
【図１３】第２の実施形態における電力系統作業準備用システムの構成を示す図である。
【図１４】第３の実施形態における電力系統作業準備用システムの構成を示す図である。
【符号の説明】
【００３６】
１    電力系統作業準備用システム
２    作業計画申請端末
３    作業計画調整システム
４    電力系統監視制御システム
Ｂ−Ｈ１１〜Ｂ−Ｈ１５    ブランチ（開閉機器）
Ｂ−Ｈ２１〜Ｂ−Ｈ２５    ブランチ（開閉機器）
Ｂ−Ｓ１１〜Ｂ−Ｓ１４    ブランチ（開閉機器）
Ｂ−Ｓ２１〜Ｂ−Ｓ２４    ブランチ（開閉機器）
Ｂ−Ｔ１１〜Ｂ−Ｔ１３    ブランチ（開閉機器）
Ｂ−Ｔ２１〜Ｂ−Ｔ２３    ブランチ（開閉機器）
Ｂ−Ｔ３１〜Ｂ−Ｔ３３    ブランチ（開閉機器）
Ｂ−Ｔ４１                ブランチ（開閉機器）
Ｎ−Ｂ１１〜Ｎ−Ｂ１４    ノード
Ｎ−Ｂ２１、Ｎ−Ｂ２２    ノード
Ｎ−Ｈ１１〜Ｎ−Ｈ１３    ノード
Ｎ−Ｈ２１〜Ｎ−Ｈ２３    ノード
Ｎ−Ｓ１１〜Ｎ−Ｓ１３    ノード
Ｎ−Ｓ２１〜Ｎ−Ｓ２３    ノード
Ｎ−Ｔ１１、Ｎ−Ｔ１２    ノード
Ｎ−Ｔ２１、Ｎ−Ｔ２２    ノード
Ｎ−Ｔ３１、Ｎ−Ｔ３２    ノード
【図１】
0005118439.tif 000002
【図２】
0005118439.tif 000003
【図３】
0005118439.tif 000004
【図４】
0005118439.tif 000005
【図５】
0005118439.tif 000006
【図６】
0005118439.tif 000007
【図７】
0005118439.tif 000008
【図８】
0005118439.tif 000009
【図９】
0005118439.tif 000010
【図１０】
0005118439.tif 000011
【図１１】
0005118439.tif 000012
【図１２】
0005118439.tif 000013
【図１３】
0005118439.tif 000014
【図１４】
0005118439.tif 000015